(57)【要約】      （修正有）【課題】物置棚の棚ユニットの組立位置固定構造を提供する。【解決手段】複数の棚ユニットを組み立ててなる該物置棚であり、該棚ユニットＡは、枠状に設けられ、剛性材で作られた方形中空断面の管体形状に設けられた方形管状枠体１０を備える。該方形管状枠体１０は、表面１１、裏面１２、内枠縁１３、外枠縁１４を備え、該方形管状枠体に結合、固定されるための可撓性パネル材２０が備わり、該可撓性パネル材の周縁には、はみ出した折縁部２１が設けられ、該折縁部は、該方形管状枠体の外枠縁より、該裏面を包むように、渦巻状で順次にはみ出しているが、内枠縁は更に、該可撓性パネル材の他方側に結合、固定される。それによって、該可撓性パネル材と方形管状枠体１０が結合、固定されて、該方形管状枠体に設けられ、可撓性パネル材に対応する締付穴３０を備える。該締付穴は、各該棚ユニットを合わせたときに、ボルトが貫通して締め付け、位置が固定され、それによって、各該棚ユニットは、裏面または外枠縁を直接組み合わせ、それをボルトで締め付けて、位置が固定される。【選択図】図３
0003164494.tif 000002
【実用新案登録請求の範囲】
【請求項１】
複数の棚ユニットを組み立ててなる物置棚であり、該棚ユニットは、
枠状に設けられ、剛性材で作られた方形中空断面の管体形状に設けられた方形管状枠体を備え、該方形管状枠体は、表面、裏面、内枠縁、外枠縁を備え、
該方形管状枠体に結合、固定される可撓性パネル材が備わり、該可撓性パネル材の周縁には、はみ出した折縁部が設けられており、該折縁部は、該方形管状枠体の外枠縁より、前記裏面を包むように渦巻状に順次にはみ出し、内枠縁は更に、前記可撓性パネル材の他方側に結合及び固定され、それにより、該可撓性パネル材と前記方形管状枠体が結合及び固定され、
さらに、該方形管状枠体に設けられ、前記可撓性パネル材に対応する締付穴を備えてなり、該締付穴は、前記棚ユニットの各々を合わせたとき、ボルトが貫通して締め付けるよう協働するように設けられ、
それにより、前記棚ユニットの各々は、裏面または外枠縁を直接組み合わせ、それに、ボルトで締め付けることによって、位置が固定され、
前記方形管状枠体の断面は、方形、長方形などのうちいずれか１つの方形形状に該当し、
また、該方形管状枠体は、一体成形式構造形態で、複数のユニット管に方向変換ジョイントを組み立ててなる組立式構造形態に設けられていることを特徴とする物置棚の棚ユニットの組立位置固定構造。
【請求項２】
前記棚ユニットの各々を組み立てる位置には、接続管体が設けられており、該接続管体は、方形断面形状に設けられ、相互に垂直に配置された第一接続側と第二接続側があり、それによって、相互に合わせる二棚ユニットをそれぞれ組み立て、また、該接続管体には、方形管状枠体、可撓性パネル材に設けられた締付穴に対応するボルト貫通穴が設けられていることを特徴とする、請求項１に記載の該物置棚の棚ユニットの組立位置固定構造。
【考案の詳細な説明】
【技術分野】
【０００１】
本考案は、物置棚に関し、物置棚の棚ユニットの組立位置固定構造のオリジナルな形態の設計に関する。
【背景技術】
【０００２】
現在、家具製品の市場では、組立式物置棚は広く見られ、使用者も多い家具製品である。
【０００３】
組立式物置棚は、棚ユニットのタイプと組立時の位置固定方法において、幾つかの形態に分かれるが、本考案が改良しようとする構造形態は、剛性の框である組立式棚ユニットを可撓性板材と結合してなる組立式物置棚構造形態に関し、このような組立式物置棚製品は、脱着利便性、構造安定性、軽量さとモダンさを兼ね備え、都会における引越率の高い使用者のニーズを満たすものであることから、使用者が多く、市場も大きい。
【０００４】
該組立式棚ユニットは、剛性の框を可撓性板材と結合してなる組立式物置棚構造であり、従来の構造設計上、隣接した各棚ユニット間の組立位置固定は通常、少なくとも、二つのジョイントで行われる。該ジョイントは、多方向の嵌込みスロットがあるため、金型を作って成形するようにするが、そこで、製造コストが高くなるという問題が発生する。また、棚を組み立てるとき、各棚ユニット間が更に該ジョイントに合わせて設けられるため、組立部品が増加すること、更に、該ジョイントはいずれも、各棚ユニットの隅に突き出した形で設けられているため、組立式物置棚全体が組み立てられたとき、依然としてこのようなジョイントによって、製品設計の多様性が制限されること、及びそれらが不十分なことなどの問題がある。
【０００５】
それゆえ、従来の構造に存在する問題点について、より理想的で実用性のあるオリジナルな構造を開発することが、使用者が望むことであり、関連業者が、研究開発し、達成するよう取り組むべき目標と方向でもある。
それを鑑みて、考案者は関連製品の製造開発と設計に携わる長年の経験を持っており、上述の目標について、詳しく設計、慎重に評価したうえ、ようやく実用性のある本考案を得られたわけである。
【考案の概要】
【考案が解決しようとする課題】
【０００６】
本考案は、物置棚の棚ユニットの組立位置固定構造を提供することを目的とし、解決しようとする課題は、従来の物置棚の各棚ユニット間がジョイントに合わせて組み立てるために製造コストが高くなり、組立部品が増え、物置棚製品の設計の多様性が制限されるという問題点を改良し、克服することである。
【課題を解決するための手段】
【０００７】
複数の棚ユニットを組み立ててなる該物置棚であり、本考案の課題を解決するための技術的特徴として、該棚ユニットは、枠状に設けられ、剛性材で作られた方形中空断面の管体形状に設けられた方形管状枠体が備わり、該方形管状枠体は表面、裏面、内枠縁と外枠縁を備えてなるものである。また、方形管状枠体に結合、固定されるための可撓性パネル材が備わり、該可撓性パネル材の周縁には、はみ出した折縁部が設けられており、該折縁部は、該方形管状枠体の外枠縁より、該裏面を包むように、渦巻状で順次にはみ出すようにされるが、内枠縁は更に、該可撓性パネル材の他方側に結合、固定され、それにより、該可撓性パネル材と方形管状枠体が結合、固定されるようになるが、該方形管状枠体に設けられ、可撓性パネル材に対応するための締付穴を備えてなるものであり、該締付穴は、各該棚ユニットを組み合わせるとき、ボルトが貫通して締め付けるよう協働するように設けられている。このようなオリジナルな設計により、本考案は背景技術に比較して、各該棚ユニットは、その裏面または外枠縁を直接合わせ、更にボルトが貫通して締め付けることによって、位置が固定され、製造コストが削減され、組立部品や物置棚製品の設計もより多様性を持つという実用性及び進歩性がある。
【考案の効果】
【０００８】
本考案に掲示した「物置棚の棚ユニットの組立位置固定構造」は、該方形管状枠体、可撓性パネル材と締付穴を備えてなる棚ユニットの組み合わせによって作られたオリジナルな構造形態設計であり、本考案は、従来の構造に比べて、各棚ユニットの裏面又は外枠縁が直接組み合わせられ、それにボルトが貫通し締め付けて、各棚ユニットの位置が固定されるようになり、それによって、製造コストが削減され、組立部品や物置棚製品の設計もより多様性を持つという実用性及び進歩性を有する。
【０００９】
上述の実施例に掲示したのは、本考案を具体的に説明するための内容であり、文中で特定の専門用語で説明されているが、それを以って、本考案の実用新案請求範囲を制限してはならないこと、また、当業者は、本考案のコンセプトや考えなどを理解した上で、その改造や変更などを行って同等の効果を得たとしても、それらの改造や変更はいずれも、後述の実用新案請求の範囲に含まれるものとする。
【図面の簡単な説明】
【００１０】
【図１】本考案の棚ユニット構造の分解立体図である。
【図２】本考案之棚ユニット構造の組立立体図である。
【図３】本考案之棚ユニット構造の組立断面図である。
【図４】本考案の方形管状枠体を長方形断面形状に示す実施例図である。
【図５】本考案の方形管状枠体を組立式構造形態に示す実施例図である。
【図６】本考案の棚ユニット組合形態の好適な実施例の組立断面図である。
【図７】本考案の棚ユニット間に接続管体が設けられている実施例の分解立体図である。
【図８】本考案の棚ユニット間に接続管体が設けられている実施例の組立断面図である。
【図９】本考案の物置棚組立形態の変形例図である。
【図１０】本考案のボルトがナットに合わせて締め付けられ、位置が固定された実施例図である。
【考案を実施するための形態】
【００１１】
図１〜図３と図６に示されるのは、本考案の物置棚の棚ユニットの組立位置固定構造の好適な実施例であり、これらの実施例は説明のみに用いられ、実用新案請求の際、これらの構造を制限してはならないとする。複数の棚ユニットＡを組み立ててなる該物置棚０１において、該棚ユニットＡは、
枠状に設けられ、剛性材（鉄管、アルミニウム）で作られた方形中空断面の管体形状に設けられた方形管状枠体１０が備わり、該方形管状枠体１０は、表面１１、裏面１２、内枠縁１３、外枠縁１４を備えてなり、
該方形管状枠体１０に結合、固定される可撓性パネル材２０が備わり、該可撓性パネル材２０の周縁には、はみ出ている折縁部２１が設けられ、該折縁部２１は、該方形管状枠体１０の外枠縁１４より、該裏面１２を包むように、渦巻状に順次にはみ出るが、内枠縁１３は更に、該可撓性パネル材２０の他方側に結合、固定され（例えば、熱圧接着、高周波接着、リベット接合、ステープル打込固定、樹脂粘着などによる固定方法）、それによって、該可撓性パネル材２０と方形管状枠体１０が結合、固定される。
【００１２】
また、該方形管状枠体１０に設けられ、可撓性パネル材２０に対応するための締付穴３０を備えてなるものであり、該締付穴３０は、各棚ユニットＡを合わせたとき、ボルト４０が貫通して締め付けるよう協働するように設けられている。
【００１３】
図３に示すように、該方形管状枠体１０の断面は、方形断面形状に設けられてもよく、または、図４に示す方形管状枠体１０のような長方形断面形状に設けられてもよい。
【００１４】
該方形管状枠体１０は、一体成形式構造形態（例えば、金属管溶接成形による場合）、または、図５の方形管状枠体１０Ｂのように、複数のユニット管１０１に方向変換ジョイント１０２を組み立ててなる組立式構造形態で設けられてもよい。
【００１５】
上述の構造、組立設計により、本考案の使用作動状態は、次のように説明する。
【００１６】
図６に示すように、二つの棚ユニットＡを組み立て、その位置を固定するとき、棚ユニットＡは、それぞれの裏面１２または外枠縁１４部位を直接合わせてから、ボルト４０が貫通して位置が固定されるため、従来のジョイント部品を使わずに、棚ユニットＡの組立固定位置に設けられる。
【００１７】
また、図７、図８に示すように、各棚ユニットＡが相互に合わせられる部位には、接続管体５０が設けられてもよいが、該接続管体５０は、方形断面形状に設けられ、相互に垂直に配置された第一接続側５１と第二接続側５２があり、それによって、相互に合わせる二つの棚ユニットＡをそれぞれ組み立てる。また、該接続管体５０には、方形管状枠体１０、可撓性パネル材２０に設けられた締付穴３０に対応するボルト貫通穴５３が設けられ、それにより、ボルト４０が貫通して、位置を固定するように設けられている（図８）。
【００１８】
図９の（ａ）〜（ｄ）に示すのは、該棚ユニットＡの組立による物置棚０１全体的な形態の変化実施例図であり、組み立ててなる物置棚０１の形状の種類は多く、単一収納空間になる口字形、または日字形の収納空間、Ｌ形、凸字形などの棚形態は、いずれも実現可能である。
【００１９】
図１０に示すように、該締付穴３０は、貫通孔形態に設けられてもよいが、ボルト４０が貫通して、ナット４１に合わせて締め付けて、位置が固定される。
【符号の説明】
【００２０】
０１…物置棚
Ａ…棚ユニット
１０…管状枠体
１１…表面
１２…裏面
１３…内枠縁
１４…外枠縁
２０…可撓性パネル材
３０…締付穴
４０…ボルト
４１…ナット
５０…接続管体
５１…第１接続側
５２…第２接続側
５３…貫通穴
１０１…ユニット管
【図１】
0003164494.tif 000003
【図２】
0003164494.tif 000004
【図３】
0003164494.tif 000005
【図４】
0003164494.tif 000006
【図５】
0003164494.tif 000007
【図６】
0003164494.tif 000008
【図７】
0003164494.tif 000009
【図８】
0003164494.tif 000010
【図９】
0003164494.tif 000011
【図１０】
0003164494.tif 000012